(57)【要約】【課題】キャビネット収納部の有効利用を図る。キャビネット収納部の収納量を狭めないようにする。【解決手段】キャビネット本体８に、キャビネット収納部８ａを開閉する扉９を蝶番１０，１０で揺動自在に取り付け、扉９に発音装置１１を設け、蝶番１０に通電部１２を設け、発音装置１１からキャビネット本体側へ延びる配線１３，１３の一部を通電部１２で形成したこと。発音装置１１は、扉９の表面材からなる振動板１９と、振動板１９を振動させるアクチュエータ１８を備えている。【効果】発音装置１１を設けた扉９でキャビネット収納部８ａを開閉できるのでキャビネット収納部８ａの有効利用を図ることができる。発音装置１１を小型化できるので、キャビネット収納部８ａの収納量を狭めないようにすることができる。【選択図】図１
2005349058.tif 000002
【特許請求の範囲】
【請求項１】
キャビネット本体に、キャビネット本体の収納部を開閉する扉を蝶番で揺動自在に取り付けたキャビネットにおいて、前記扉に発音装置を設け、前記蝶番に通電部を設け、電気信号が前記通電部を介して発音装置へ至ることを特徴とする発音装置付きキャビネット。  
【請求項２】
前記発音装置は、前記扉に取り付けた振動出力用アクチュエータで前記扉を振動させるものである請求項１記載の発音装置付きキャビネット。
【発明の詳細な説明】
【技術分野】
【０００１】
本発明は、発音する扉を備えたキャビネットに関するものである。
【背景技術】
【０００２】
洗面化粧台には、洗面器を支持するベースキャビネットと、ベースキャビネットより上方に配置されたミラーキャビネットを備え、ミラーキャビネット内に発音装置のスピーカーを埋設したものがある（特許文献１）。
【特許文献１】特開２００３−１３５２９６号公報
【発明の開示】
【発明が解決しようとする課題】
【０００３】
しかし、前記特許文献１に記載されているミラーキャビネットは、スピーカーを取付けたバッフル板をミラーキャビネットに固定して、キャビネットの収納部となり得る部分を塞ぐため、キャビネット収納部の有効利用が図れない欠点があった。
そこで、本発明は、この欠点に鑑み創案したものであって、キャビネット収納部の有効利用が図れる発音装置付きキャビネットを提供することを目的とする。
【課題を解決するための手段】
【０００４】
キャビネット収納部の有効利用を図るために請求項１記載の本発明が採用した手段は、キャビネット本体に、キャビネット本体の収納部を開閉する扉を蝶番で揺動自在に取り付けたキャビネットにおいて、前記扉に発音装置を設け、前記蝶番に通電部を設け、電気信号が前記通電部を介して発音装置へ至ることを特徴とする発音装置付きキャビネットである。
本発明にあっては、発音装置を設けた扉を開閉することで、該扉で覆われるキャビネット本体の収納部から収納物を出し入れすることができる。また、蝶番に設けた通電部を介して発音装置へ電気信号を出力できる。
【０００５】
キャビネット本体の収納部の収納量を狭めないようにするために請求項２記載の本発明が採用した手段は、前記発音装置は、前記扉に取り付けた振動出力用アクチュエータで前記扉を振動させるものである請求項１記載の発音装置付きキャビネットである。なお、扉の表面材及び／又は裏面材を振動板とし、アクチュエータの出力で振動板を振動させて発音させるようにすることもある。
本発明にあっては、アクチュエータで扉を振動させるため、発音装置を小型化できる。
【発明の効果】
【０００６】
請求項１記載の本発明は、発音装置を設けた扉でキャビネット本体の収納部を開閉できるようにしたので、キャビネットの収納部となり得る部分を塞ぐ従来の構造に比べて収納部の有効利用を図ることができる。また、蝶番に設けた通電部を介して発音装置へ電気信号を出力するので、キャビネット本体と扉の境界に別途配線を設ける必要がなく、扉の開閉をスムーズにでき、また意匠性もよくなる。
請求項２記載の本発明は、発音装置の小型化できるので、キャビネット本体の収納部の収納量を狭めないようにすることができる。
【０００７】
本発明に係る発音装置付きキャビネット（以下、「本発明キャビネット」と言う。）を図面に示す実施形態に基づいて説明する。
【０００８】
図１は第１及び２の実施の形態に係る本発明キャビネット１，２を備えた洗面化粧台３を示すものであって、（Ａ）は一部破断した正面図、（Ｂ）は扉９及び蝶番１０，１０を示す背面図である。図２は本発明キャビネット１に備えた蝶番１０を拡大して示す背面図、図３（Ａ）は本発明キャビネット２に備えた蝶番２３を拡大して示す正面図、同図（Ｂ）は（Ａ）のｂ−ｂ線における断面図である。洗面化粧台３は、図１に示す如く、下方のベースキャビネット４と、ベースキャビネット４に支持される洗面器５と、洗面器５より上方に配置したミラーキャビネット６と、照明装置７とを備えている。
【０００９】
第１の実施の形態に係る本発明キャビネット１は、ミラーキャビネット６に施したものであり、合成樹脂素材等から成形されたミラーキャビネット本体８に、キャビネット本体８の収納部８ａを開閉する扉９を蝶番１０，１０で揺動自在に取り付け、扉９に発音装置１１を設け、各蝶番１０に通電部１２を設け、発音装置１１からキャビネット本体側へ延びる配線１３，１３の一部を各通電部１２で形成してある。配線１３，１３は、キャビネット本体８の背面外側等を通過して、発音信号発生装置１４へ接続される。発音信号発生装置１４から出力された電気信号は、各配線１３及び各蝶番１０の通電部１２を通過して発音装置１１へ至り、発音装置１１を駆動して発音させる。発音装置１１から発した音声等は、洗面化粧台３の外側へ拡散して使用者に至る。本発明キャビネット１は、発音装置１１を設けた扉９を開閉することで、扉９で覆われるキャビネット本体収納部８ａから収納物を出し入れすることができると共に、各配線１３の一部を蝶番１０に設けた通電部１２で形成することで扉９の開閉を円滑にできる。
【００１０】
前記蝶番１０は、図２に示す如く、導電素材からなる取付部１５ａ及び軸受部１５ｂを備えた一方の蝶番構成部１５と、導電素材からなる取付部１６ａ及び軸受部１６ｂを備えた他方の蝶番構成部１６と、両軸受部１５ｂ，１６ｂに軸支されて両蝶番構成部１５，１６を揺動自在に連結する軸部１７とを備え、両軸受部１５ｂ，１６ｂの摺動面１５ｃ，１６ｃどうしを通電可能に接触させて通電部１２を設けている。蝶番１３は、取付部１５ａ，１６ａ又は軸受部１５ｂ，１６ｂに配線１３が各々接合され、通電部１２を前記電気信号が通過するようになっている。なお、蝶番１０は、摺動面１５ｃ，１６ｃを導電性に優れた素材（例えば、金メッキ層等）で形成して、電気ノイズの発生を阻止する構造とすることが好ましい。両取付部１５ａ，１６ａは、図１に示す如く、一方を扉９に接合し、他方をキャビネット本体８に接合してある。
【００１１】
前記扉９に設けた発音装置１１は、扉９の鏡板等からなる表面材を振動板１９とし、振動板に振動出力用アクチュエータ１８を取り付け、アクチュエータ１８の出力で振動板１９を振動させて発音させるようになっている。アクチュエータ１８は、図示は省略したが、特開平１１−２６６４９６号公報に掲載されている超磁歪式のものや、ピエゾ素子を用いた形式のものが選択される。このように、発音装置１１は、扉９の表面材を振動板１９に用いると共にアクチュエータ１１で振動させるため小型化でき、キャビネット本体収納部８ａの収納量を狭めないようにすることができる。なお、本例の場合、アクチュエータ１８は、扉９を閉じたとき、キャビネット本体収納部８ａへ突出して格納されるようになつている。
【００１２】
なお、発音装置１１は、上記形態に限定されるものではなく、図示は省略したが発音信号発生装置１４及びアクチュエータ１８を一体化又は併設し、扉９の表面材１９の表側に発音信号発生装置１４及びアクチュエータ１８を取り付けることも可能である。この場合、発音信号発生装置１４は、音楽ソフトを記憶した記憶媒体（例えば、メモリーカード等）を着脱自在に備えると共に、記憶媒体から音楽ソフトを呼び出すマイコンを備え、音楽ソフト信号を増幅して出力するとよい。配線１３は、増幅装置１４へ供給する低電圧の電力供給線となる。
【００１３】
第２の実施の形態に係る本発明キャビネット２は、図１に示す如く、ベースキャビネット４に施したものであり、ベースキャビネット本体２１に、キャビネット本体２１の収納部２１ａを開閉する扉２２を蝶番２３，２３で揺動自在に取り付け、扉２２に発音装置２４を設け、各蝶番２３に通電部２５（図３参照）を設け、発音装置２４からキャビネット本体側へ延びる配線２６，２６の一部を各通電部２５で形成してある。配線２６，２６は、キャビネット本体２１の内側等を通過して、発音信号発生装置１４へ接続される。発音信号発生装置１４から出力された電気信号は、各配線２６及び各蝶番２３の通電部２５を通過して発音装置２４へ至り、発音装置２４を駆動して発音させる。発音装置２４から発音は、洗面化粧台３の外側へ音声等として拡散する。本発明キャビネット２は、発音装置２４を設けた扉２２を開閉することで、扉２２で覆われるキャビネット本体収納部２１ａから収納物を出し入れすることができると共に、各配線２６の一部を蝶番２３に設けた通電部２５で形成することで扉２２の開閉を円滑にできる。
【００１４】
前記蝶番２３は、図３に示す如く、導電素材からなる取付部２７ａ及び軸受部２７ｂを備えた一方の蝶番構成部２７と、導電素材からなる取付部２８ａ及び軸受部２８ｂを備えた他方の蝶番構成部２８と、両軸受部２７ｂ，２８ｂに軸支され両蝶番構成部２７，２８を揺動自在に連結する軸部２９とを備え、他方の取付部２８ａに接合した導電性の接触片３０を一方の軸受部２７ｂの外周面へ通電可能に接触させて通電部２５を設けている。蝶番２３は、取付部２７ａ，２８ａに配線２６が各々接合され、通電部２５を前記電気信号が通過するようになっている。両取付部２７ａ，２８ａは、一方を扉２２に接合し、他方をキャビネット本体２１に接合してある。なお、蝶番２３は、通電面となる軸受部２７ｂの外周面及び接触片３０の当接面を導電性に優れた素材（例えば、金メッキ層等）で形成して、電気ノイズの発生を阻止する構造とすることが好ましい。蝶番２３は、各軸受部２７ｂ，２８ｂと軸部２９を通電可能に摺動接触させて通電部を設けることもある。
【００１５】
前記扉２２は、図１に示す如く、四角枠状のフレーム３１と、フレーム３１に振動伝達可能に接合して間に空間部Ｓを形成する表面材３２及び裏面材３３と、フレーム３１に取り付けた振動出力用アクチュエータ３５とを備えている。扉２２に設けた発音装置２４は、扉２２の表面材３２及び／又は裏面材３３を振動板とし、アクチュエータ３５の出力で両振動板３２，３３を振動させて発音させるようになっている。アクチュエータ３５は、図示は省略したが、前記同様に超磁歪式のものや、ピエゾ素子を用いたものが選択される。
【００１６】
前記扉２２は、振動出力用アクチュエータ３５から振動伝播具であるフレーム３１へ出力された出力振動が、フレーム３１の延設方向に沿って広い範囲に伝播して表面材３２及び裏面材３３を振動させて発音する。扉２２は、表面材３２及び／又は裏面材３３が振動することで、空間部Ｓで共振を起こして特定の周波数（殊に低音領域）が増強され、大きな音を発生させることができる。
【００１７】
本発明キャビネット２１は、扉２２の裏面材３３に適宜大きさの開口部３４を開設し、扉２２を閉じたときに扉２２の空間部Ｓとキャビネット本体収納部２１ａとを連通させるようになっており、扉２２の開口部３４からキャビネット本体収納部２１ａへ拡散した音が、キャビネット本体収納部２１ａで共振を起こし特定の周波数が増強させることができる。
【００１８】
なお、本発明キャビネット２１は、キャビネット本体収納部２１ａを開閉する他方の扉３７を蝶番２３，２３で揺動自在に取り付け、扉３７に前記発音装置２４を設け、左右の発音装置でステレオを構成することも勿論可能である。また、前記扉２２や扉３７に設ける発音装置２４は、フレーム３１及び裏面材３３を省略して、表面材３２にアクチュエータ３５を取り付けて、表面材３２を振動させて発音させるようにすることも勿論可能である。
【００１９】
本例の洗面化粧台３は、前記本発明キャビネット１及び２を組み合わせて備えているが、一方の本発明キャビネット１又は２を省略することも勿論可能である。本発明キャビネットは、前記洗面化粧台３に適用する以外に、図示は省略したが、シンクを支持する扉付き流し台、加熱調理器を支持する扉付きレンジ台、扉付きの調理台又は扉付きの収納庫等に適用することも勿論可能である。
【図面の簡単な説明】
【００２０】
【図１】第１及び２の実施の形態に係る本発明キャビネットを備えた洗面化粧台を示すものであって、（Ａ）は一部破断した正面図、（Ｂ）は扉及び蝶番を示す背面図である。
【図２】第１の実施の形態に係る本発明キャビネットに備えた蝶番を拡大して示す背面図である。
【図３】（Ａ）は第２の実施の形態に係る本発明キャビネットに備えた蝶番を拡大して示す正面図、同図（Ｂ）は（Ａ）のｂ−ｂ線における断面図である。
【符号の説明】
【００２１】
８（２１）…キャビネット本体、８ａ（２１ａ）…収納部、９（２２）…扉、１０（２３）…蝶番、１１（２４）…発音装置、１２（２５）…通電部、１３（２６）…配線、１９（３２）…振動板（表面材）、３３…振動板（裏面材）、１８（３５）…アクチュエータ
【図１】
2005349058.tif 000003
【図２】
2005349058.tif 000004
【図３】
2005349058.tif 000005